(57)【要約】【課題】人の移動軌跡を管理・分析するサービスを提供可能な移動軌跡管理・分析サービスシステム、情報収集・監視サーバ及び分析サーバの提供。【解決手段】移動軌跡管理・分析サービスシステムＳは、センサノードを内蔵した名札１と顧客先２の無線ＡＰ装置２０と情報収集・監視サーバ２１とサービスセンタ３の分析サーバ３０とを具備する。顧客先２の情報収集・監視サーバ２１が無線ＡＰ装置２０から送られた名札１のセンサノードの発信する識別情報を受け取り収集する。サービスセンタ３の分析サーバ３０が識別情報を情報収集・監視サーバ２１から定期的に収集し、定期的に収集した識別情報を基に統計情報を作成する。サービスセンタ３側でこの統計情報を基に業務で行くはずのない所を良く通っている人を分析したり、監視ルールの見直しを行うことができる。【選択図】図１
2007172464.tif 000002
【特許請求の範囲】
【請求項１】
センサノードを内蔵し、顧客先の室内への入室を許可された入室者が身に付ける名札と、顧客先の室内にセル状に配置され、小規模な受信エリアをそれぞれ持つ複数の無線アクセスポイント装置と、前記複数の無線アクセスポイント装置をＬＡＮ接続する情報収集・監視サーバと、サービスセンタに設置され、前記情報収集・監視サーバとネットワークを介して接続される分析サーバとを具備し、入室者の移動軌跡を管理・分析するサービスを行うシステムであって、
前記センサノードは、前記名札を付けた入室者個人を識別する識別情報を記憶する手段と、記憶した識別情報を一定時間間隔で発信する手段とを備えており、前記無線アクセスポイント装置は、受信エリア内に入った名札のセンサノードが発信した識別情報を受信する手段と、受信した識別情報を前記情報収集・監視サーバに送る手段とを備えており、前記情報収集・監視サーバは、センサデータベースを有し、監視ルールを記録する手段と、前記無線アクセスポイント装置から送られた識別情報を受け取り収集する手段と、前記名札を付けた入室者が前記無線アクセスポイント装置の受信エリア内に入った回数をカウントする手段と、収集した識別情報を前記センサデータベースに蓄積する手段と、監視ルールを用いて禁止，警告のチェックを行う手段と、監視ルールの違反が発生した場合、監視ルールの違反が発生した旨の警告通報を前記分析サーバに送信する手段とを備えており、前記分析サーバは、管理・分析データベースを有し、識別情報を前記情報収集・監視サーバから定期的に収集する手段と、定期的に収集した識別情報を基に統計情報を作成する手段と、作成した統計情報を前記管理・分析データベースに格納する手段と、前記情報収集・監視サーバから送信された監視ルールの違反が発生した旨の警告通報を受信する手段と、受信した監視ルールの違反が発生した旨の警告を表示装置の表示画面に表示させる手段とを備えたことを特徴とする移動軌跡管理・分析サービスシステム。
【請求項２】
上記センサノードは、上記名札の揺れを感知する加速度センサを有し、前記加速度センサの加速度情報を識別情報と共に発信する手段を備えており、上記無線アクセスポイント装置は、受信エリア内に入った名札のセンサノードが発信した加速度情報を受信する手段と、受信した加速度情報を上記情報収集・監視サーバに送る手段とを備えており、前記情報収集・監視サーバは、前記無線アクセスポイント装置から送られた加速度情報を受け取り収集する手段と、収集した加速度情報を上記センサデータベースに蓄積する手段と、加速度無し情報の有無のチェックを行う手段と、加速度無し情報が有る場合、入室者が名札を外している旨の警告通報を上記分析サーバに送信する手段とを備えており、前記分析サーバは、前記情報収集・監視サーバから送信された入室者が名札を外している旨の警告通報を受信する手段と、受信した入室者が名札を外している旨の警告を表示装置の表示画面に表示させる手段とを備えている請求項１に記載の移動軌跡管理・分析サービスシステム。
【請求項３】
上記分析サーバは、統計情報を用いて新たな監視ルールを作成する手段を備えている請求項１に記載の移動軌跡管理・分析サービスシステム。
【請求項４】
顧客先の室内にセル状に配置された小規模な受信エリアをそれぞれ持つ複数の無線アクセスポイント装置をＬＡＮ接続すると共に、サービスセンタに設置された分析サーバとネットワークを介して接続され、センサデータベースを有し、監視ルールを記録する手段と、前記無線アクセスポイント装置から送られた識別情報を受け取り収集する手段と、センサノードを内蔵した名札を付けた入室者が前記無線アクセスポイント装置の受信エリア内に入った回数をカウントする手段と、収集した識別情報を前記センサデータベースに蓄積する手段と、監視ルールを用いて禁止，警告のチェックを行う手段と、監視ルールの違反が発生した場合、監視ルールの違反が発生した旨の警告通報を前記分析サーバに送信する手段とを備えたことを特徴とする情報収集・監視サーバ。
【請求項５】
サービスセンタに設置され、顧客先の情報収集・監視サーバとネットワークを介して接続され、管理・分析データベースを有し、識別情報を前記情報収集・監視サーバから定期的に収集する手段と、定期的に収集した識別情報を基に統計情報を作成する手段と、作成した統計情報を前記管理・分析データベースに格納する手段と、前記情報収集・監視サーバから送信された監視ルールの違反が発生した旨の警告通報を受信する手段と、受信した監視ルールの違反が発生した旨の警告を表示装置の表示画面に表示させる手段とを備えたことを特徴とする分析サーバ。
【発明の詳細な説明】
【技術分野】
【０００１】
本発明は、お客様先（顧客先）の室内への入室を許可された入室者の移動軌跡を管理・分析するサービスを行う移動軌跡管理・分析サービスシステム、情報収集・監視サーバ及び分析サーバに関するものである。
【背景技術】
【０００２】
近年、内部犯行に情報漏洩事件が増加し問題になっているが、従来の入退室管理システムでは、入室を許可された人が悪意のある行為をするため、情報漏洩を防ぐことが不可能であった。
【発明の開示】
【発明が解決しようとする課題】
【０００３】
特に、マシン室のような少人数の人のみ入室を許可されたところでの情報漏洩では、入室者を特定することは容易であるが、事務室のような多くの人が入室している場所では、犯行者の特定が困難であった。
【０００４】
そこで、本発明の目的は、上記の事情に鑑みてなされたものであって、顧客先の室内への入室を許可された入室者がセンサノードを内蔵した名札を身に付けるのみで、センサノードが名札を付けた入室者個人を識別する識別情報や名札の揺れを感知する加速度センサの加速度情報を一定時間間隔で発信するので、センサノードを内蔵した名札を身に付けた入室者が顧客先の無線アクセスポイント装置の受信エリア内に入ると、無線アクセスポイント装置が受信エリア内に入った名札のセンサノードの発信する識別情報や加速度情報を受信し、無線アクセスポイント装置から情報収集・監視サーバへ受信した識別情報や加速度情報を送ることができ、情報収集・監視サーバが無線アクセスポイント装置から受け取り収集した識別情報や加速度情報をセンサデータベースに蓄積し、サービスセンタの分析サーバが識別情報を顧客先の情報収集・監視サーバから定期的に収集し、定期的に収集した識別情報を基に統計情報を作成するので、サービスセンタ側でこの統計情報を基に業務で行くはずのない所を良く通っている人を分析したり、監視ルールの定期的な見直しを行い、監視ルールを用いて人の移動軌跡を管理・分析する迅速なサービスの提供を行うことが可能な移動軌跡管理・分析サービスシステム、情報収集・監視サーバ及び分析サーバを提供することにある。
【課題を解決するための手段】
【０００５】
本発明の移動軌跡管理・分析サービスシステムは、センサノードを内蔵し、顧客先の室内への入室を許可された入室者が身に付ける名札と、顧客先の室内にセル状に配置され、小規模な受信エリアをそれぞれ持つ複数の無線アクセスポイント装置と、前記複数の無線アクセスポイント装置をＬＡＮ接続する情報収集・監視サーバと、サービスセンタに設置され、前記情報収集・監視サーバとネットワークを介して接続される分析サーバとを具備し、入室者の移動軌跡を管理・分析するサービスを行うシステムであって、前記センサノードが、前記名札を付けた入室者個人を識別する識別情報を記憶する手段と、記憶した識別情報を一定時間間隔で発信する手段とを備えており、前記無線アクセスポイント装置が、受信エリア内に入った名札のセンサノードが発信した識別情報を受信する手段と、受信した識別情報を前記情報収集・監視サーバに送る手段とを備えており、前記情報収集・監視サーバが、センサデータベースを有し、監視ルールを記録する手段と、前記無線アクセスポイント装置から送られた識別情報を受け取り収集する手段と、前記名札を付けた入室者が前記無線アクセスポイント装置の受信エリア内に入った回数をカウントする手段と、収集した識別情報を前記センサデータベースに蓄積する手段と、監視ルールを用いて禁止，警告のチェックを行う手段と、監視ルールの違反が発生した場合、監視ルールの違反が発生した旨の警告通報を前記分析サーバに送信する手段とを備えており、前記分析サーバが、管理・分析データベースを有し、識別情報を前記情報収集・監視サーバから定期的に収集する手段と、定期的に収集した識別情報を基に統計情報を作成する手段と、作成した統計情報を前記管理・分析データベースに格納する手段と、前記情報収集・監視サーバから送信された監視ルールの違反が発生した旨の警告通報を受信する手段と、受信した監視ルールの違反が発生した旨の警告を表示装置の表示画面に表示させる手段とを備えたことを特徴とする構成を有するものである。
【０００６】
本発明の移動軌跡管理・分析サービスシステムは、上記センサノードが、上記名札の揺れを感知する加速度センサを有し、前記加速度センサの加速度情報を識別情報と共に発信する手段を備えており、上記無線アクセスポイント装置が、受信エリア内に入った名札のセンサノードが発信した加速度情報を受信する手段と、受信した加速度情報を上記情報収集・監視サーバに送る手段とを備えており、前記情報収集・監視サーバが、前記無線アクセスポイント装置から送られた加速度情報を受け取り収集する手段と、収集した加速度情報を上記センサデータベースに蓄積する手段と、加速度無し情報の有無のチェックを行う手段と、加速度無し情報が有る場合、入室者が名札を外している旨の警告通報を上記分析サーバに送信する手段とを備えており、前記分析サーバが、前記情報収集・監視サーバから送信された入室者が名札を外している旨の警告通報を受信する手段と、受信した入室者が名札を外している旨の警告を表示装置の表示画面に表示させる手段とを備えている。
【０００７】
本発明の移動軌跡管理・分析サービスシステムは、上記分析サーバが、統計情報を用いて新たな監視ルールを作成する手段を備えている。
【０００８】
本発明の情報収集・監視サーバは、顧客先の室内にセル状に配置された小規模な受信エリアをそれぞれ持つ複数の無線アクセスポイント装置をＬＡＮ接続すると共に、サービスセンタに設置された分析サーバとネットワークを介して接続され、センサデータベースを有し、監視ルールを記録する手段と、前記無線アクセスポイント装置から送られた識別情報を受け取り収集する手段と、センサノードを内蔵した名札を付けた入室者が前記無線アクセスポイント装置の受信エリア内に入った回数をカウントする手段と、収集した識別情報を前記センサデータベースに蓄積する手段と、監視ルールを用いて禁止，警告のチェックを行う手段と、監視ルールの違反が発生した場合、監視ルールの違反が発生した旨の警告通報を前記分析サーバに送信する手段とを備えたことを特徴とする構成を有するものである。
【０００９】
本発明の分析サーバは、サービスセンタに設置され、顧客先の情報収集・監視サーバとネットワークを介して接続され、管理・分析データベースを有し、識別情報を前記情報収集・監視サーバから定期的に収集する手段と、定期的に収集した識別情報を基に統計情報を作成する手段と、作成した統計情報を前記管理・分析データベースに格納する手段と、前記情報収集・監視サーバから送信された監視ルールの違反が発生した旨の警告通報を受信する手段と、受信した監視ルールの違反が発生した旨の警告を表示装置の表示画面に表示させる手段とを備えたことを特徴とする構成を有するものである。
【発明の効果】
【００１０】
以上に述べたように、本発明によれば、顧客先の室内への入室を許可された入室者がセンサノードを内蔵した名札を身に付けるのみで、センサノードが名札を付けた入室者個人を識別する識別情報や名札の揺れを感知する加速度センサの加速度情報を一定時間間隔で発信するので、センサノードを内蔵した名札を身に付けた入室者が顧客先の無線アクセスポイント装置の受信エリア内に入ると、無線アクセスポイント装置が受信エリア内に入った名札のセンサノードの発信する識別情報や加速度情報を受信し、無線アクセスポイント装置から情報収集・監視サーバへ受信した識別情報や加速度情報を送ることができ、情報収集・監視サーバが無線アクセスポイント装置から受け取り収集した識別情報や加速度情報をセンサデータベースに蓄積し、サービスセンタの分析サーバが識別情報を顧客先の情報収集・監視サーバから定期的に収集し、定期的に収集した識別情報を基に統計情報を作成するので、サービスセンタ側でこの統計情報を基に業務で行くはずのない所を良く通っている人を分析したり、監視ルールの定期的な見直しを行い、監視ルールを用いて人の移動軌跡を管理・分析する迅速なサービスの提供を行うことが可能な移動軌跡管理・分析サービスシステム、情報収集・監視サーバ及び分析サーバを得ることができる。
【発明を実施するための最良の形態】
【００１１】
以下、本発明を実施するための最良の形態を図面を参照して詳細に説明する。
【実施例】
【００１２】
本発明の移動軌跡管理・分析サービスシステムＳは、センサノードを内蔵し、顧客先２の室内への入室を許可された入室者１０が身に付ける名札１と、顧客先２の室内にセル状に配置され、小規模な受信エリア２０ａをそれぞれ持つ複数の無線アクセスポイント装置２０と、複数の無線アクセスポイント装置２０をＬＡＮ接続する情報収集・監視サーバ２１と、サービスセンタ３に設置され、情報収集・監視サーバ２１とネットワーク４を介して接続される分析サーバ３０とを具備し、入室者１０の移動軌跡を管理・分析するサービスを行うシステムである。
【００１３】
本発明の移動軌跡管理・分析サービスシステムＳは、センサノードが、名札１を付けた入室者１０個人を識別する識別情報を記憶する手段と、記憶した識別情報を一定時間間隔で発信する手段とを備えている。
【００１４】
本発明の移動軌跡管理・分析サービスシステムＳは、無線アクセスポイント装置２０が、受信エリア２０ａ内に入った名札１のセンサノードが発信した識別情報を受信する手段と、受信した識別情報を情報収集・監視サーバ２１に送る手段とを備えている。
【００１５】
本発明の移動軌跡管理・分析サービスシステムＳは、情報収集・監視サーバ２１が、センサデータベース２２を有している。
【００１６】
本発明の移動軌跡管理・分析サービスシステムＳは、情報収集・監視サーバ２１が、監視ルールを記録する手段と、無線アクセスポイント装置２０から送られた識別情報を受け取り収集する手段と、名札１を付けた入室者１０が無線アクセスポイント装置２０の受信エリア２０ａ内に入った回数をカウントする手段と、収集した識別情報をセンサデータベース２２に蓄積する手段と、監視ルールを用いて禁止，警告のチェックを行う手段と、監視ルールの違反が発生した場合、監視ルールの違反が発生した旨の警告通報を分析サーバ３０に送信する手段とを備えている。
【００１７】
本発明の移動軌跡管理・分析サービスシステムＳは、分析サーバ３０が、管理・分析データベース３１を有している。
【００１８】
本発明の移動軌跡管理・分析サービスシステムＳは、分析サーバ３０が、識別情報を情報収集・監視サーバ２１から定期的に収集する手段と、定期的に収集した識別情報を基に統計情報を作成する手段と、作成した統計情報を管理・分析データベース３１に格納する手段と、情報収集・監視サーバ２１から送信された監視ルールの違反が発生した旨の警告通報を受信する手段と、受信した監視ルールの違反が発生した旨の警告を表示装置であるディスプレイ３２の表示画面に表示させる手段とを備えている。
【００１９】
本発明の移動軌跡管理・分析サービスシステムＳは、センサノードが、名札１の揺れを感知する加速度センサを有している。
【００２０】
本発明の移動軌跡管理・分析サービスシステムＳは、センサノードが、加速度センサの加速度情報を識別情報と共に発信する手段を備えている。
【００２１】
本発明の移動軌跡管理・分析サービスシステムＳは、無線アクセスポイント装置２０が、受信エリア２０ａ内に入った名札１のセンサノードが発信した加速度情報を受信する手段と、受信した加速度情報を情報収集・監視サーバ２１に送る手段とを備えている。
【００２２】
本発明の移動軌跡管理・分析サービスシステムＳは、情報収集・監視サーバ２１が、無線アクセスポイント装置２０から送られた加速度情報を受け取り収集する手段と、収集した加速度情報をセンサデータベース２２に蓄積する手段と、加速度無し情報の有無のチェックを行う手段と、加速度無し情報が有る場合、入室者１０が名札１を外している旨の警告通報を分析サーバ３０に送信する手段とを備えている。
【００２３】
本発明の移動軌跡管理・分析サービスシステムＳは、分析サーバ３０が、情報収集・監視サーバ２１から送信された入室者１０が名札１を外している旨の警告通報を受信する手段と、受信した入室者１０が名札１を外している旨の警告をディスプレイ３２の表示画面に表示させる手段とを備えている。
【００２４】
本発明の移動軌跡管理・分析サービスシステムＳは、分析サーバ３０が、統計情報を用いて新たな監視ルールを作成する手段を備えている。
【００２５】
本発明の情報収集・監視サーバは、顧客先２の室内にセル状に配置された小規模な受信エリア２０ａをそれぞれ持つ複数の無線アクセスポイント装置２０をＬＡＮ接続すると共に、サービスセンタ３に設置された分析サーバ３０とネットワーク４を介して接続されている。
【００２６】
本発明の情報収集・監視サーバは、センサデータベース２２を有している。
【００２７】
本発明の情報収集・監視サーバは、監視ルールを記録する手段と、無線アクセスポイント装置２０から送られた識別情報を受け取り収集する手段と、センサノードを内蔵した名札１を付けた入室者１０が無線アクセスポイント装置２０の受信エリア２０ａ内に入った回数をカウントする手段と、収集した識別情報をセンサデータベース２２に蓄積する手段と、監視ルールを用いて禁止，警告のチェックを行う手段と、監視ルールの違反が発生した場合、監視ルールの違反が発生した旨の警告通報を分析サーバ３０に送信する手段とを備えている。
【００２８】
本発明の分析サーバは、サービスセンタ３に設置され、顧客先２の情報収集・監視サーバ２１とネットワーク４を介して接続されている。
【００２９】
本発明の分析サーバは、管理・分析データベース３１を有している。
【００３０】
本発明の分析サーバは、識別情報を情報収集・監視サーバ２１から定期的に収集する手段と、定期的に収集した識別情報を基に統計情報を作成する手段と、作成した統計情報を管理・分析データベース３１に格納する手段と、情報収集・監視サーバ２１から送信された監視ルールの違反が発生した旨の警告通報を受信する手段と、受信した監視ルールの違反が発生した旨の警告をディスプレイ３２の表示画面に表示させる手段とを備えている。
【００３１】
図１は、本発明の実施例に係る移動軌跡管理・分析サービスシステムを示すシステム構成図、図２は、複数の無線アクセスポイント装置の顧客先の室内への配置状態を示す平面図である。
移動軌跡管理・分析サービスシステムＳは、図１に示すように、センサノードを内蔵した名札１と、顧客先２の室内にセル状に配置された複数の無線アクセスポイント（Ａｃｃｅｓｓ  Ｐｏｉｎｔ；ＡＰ）装置２０と、顧客先２の室内に設置された情報収集・監視サーバ２１と、サービスセンタ３に設置された分析サーバ３０とを具備している。
【００３２】
顧客先２の事務所への入室を許可された従業員などの入室者１０が身に付ける名札１には、センサノード（図示せず）が内蔵されている。
【００３３】
センサノードは、名札１の揺れを感知する加速度センサ（図示せず）を有している。
【００３４】
名札１に内蔵したセンサノードは、名札１を身に付けた入室者１０個人を識別する識別情報であるＩＤ番号と加速度センサの加速度情報を一定時間間隔で、受信エリア２０ａ内の無線アクセスポイント装置２０に発信する。
【００３５】
顧客先２の事務所には、図１に示すように、複数の無線アクセスポイント装置２０と情報収集・監視サーバ２１とルータ２３が設置されている。
【００３６】
顧客先２の事務所の室内には、図２に示すように、小規模な受信エリア２０ａをそれぞれ持つ複数の無線アクセスポイント装置２０がセル状に配置されている。
【００３７】
情報収集・監視サーバ２１は、センサデータベース（Ｄａｔａ  Ｂａｓｅ；ＤＢ）２２を有している。
【００３８】
複数の無線アクセスポイント装置２０と情報収集・監視サーバ２１とは、ＬＡＮ（Ｌｏｃａｌ  Ａｒｅａ  Ｎｅｔｗｏｒｋ）２４でネットワーク接続されている。
【００３９】
情報収集・監視サーバ２１は、監視ルールテーブルＴ１を有している。
【００４０】
情報収集・監視サーバ２１は、ルータ２３を介して公衆網／インターネット等のネットワーク４に接続されている。
【００４１】
サービスセンタ３内には、図１に示すように、分析サーバ３０とディスプレイ３２と監視パソコン（Ｐｅｒｓｏｎａｌ  Ｃｏｍｐｕｔｅｒ；ＰＣ）３３とルータ３４が設置されている。
【００４２】
分析サーバ３０は、管理・分析データベース（Ｄａｔａ  Ｂａｓｅ；ＤＢ）３１を有している。
【００４３】
分析サーバ３０及び監視パソコン３３とルータ３４とは、ＬＡＮ３５でネットワーク接続されている。
【００４４】
ルータ３４は、ネットワーク４に接続されている。
【００４５】
顧客先２の情報収集・監視サーバ２１とサービスセンタ３の分析サーバ３０とは、ネットワーク４で接続されている。
【００４６】
小規模な受信エリア２０ａをそれぞれ持つ複数の無線アクセスポイント装置２０を、顧客先２の事務所の室内にセル状に配置する。
【００４７】
顧客先２の事務所に入室許可を持つ人（入室者）は、センサノードを内蔵した名札１を身に付ける。
【００４８】
名札１に内蔵したセンサノードは、入室者１０個人を識別するＩＤ番号と名札１の揺れを感知する加速度センサの加速度情報を一定時間間隔で、受信エリア２０ａ内の無線アクセスポイント装置２０に発信する。
【００４９】
無線アクセスポイント装置２０は、受信したＩＤ番号と加速度情報を情報収集・監視サーバ２１に送ると共に、監視ルールに従って人毎の監視を行う。
【００５０】
監視ルールの違反が発生した場合、サービスセンタ３の監視員３６に警告通報が上がり、サービスセンタ３の監視員３６は顧客先２の警備員２５や管理者に連絡を行う。
【００５１】
情報収集・監視サーバ２１に記録した監視ルールは、初めは人手にて簡単に作成する。
【００５２】
情報収集・監視サーバ２１のセンサデータベース２２に蓄積された人（入室者）が無線アクセスポイント装置２０の受信エリア２０ａ内に入ったＩＤ番号と加速度情報は、サービスセンタ３の分析サーバ３０で受け取り収集し、まとまった期間にて統計を出力する。
この統計情報を基に業務で行くはずのない所を良く通っている人を分析したり、または監視ルールの定期的な見直しを行い、監視ルールと業務との整合性をあげる。
【００５３】
また、悪意のある行為をする場合、入室者１０がセンサノードを内蔵した名札１を顧客先２の事務所の室内で外して行動する。
【００５４】
よって、名札１の揺れを感知する加速度センサの値が無い場合、名札１が入室者１０から外されていることが分かるので、顧客先２の情報収集・監視サーバ２１からサービスセンタ３の分析サーバ３０へ入室者１０が名札１を外している旨の警告通報を行う。
【００５５】
図３は、情報収集・監視サーバに記録した監視ルールの一例を示す図である。
事前に人手にて簡単に作成した監視ルールの具体例を図３に示す。
情報収集・監視サーバ１１には、図３に示すような、監視ルールが監視ルールテーブルＴ１の形式で記録されている。
【００５６】
監視ルールテーブルＴ１には、顧客先２の事務所への入室を許可された入室者（従業員）１０の氏名毎に受信エリアＡ−１，受信エリアＡ−２，受信エリアＢ−１，受信エリアＢ−２，受信エリアＢ−３，受信エリアＣの欄に○，△，×が付されている。
【００５７】
図３に示す監視ルールでは、○はセンサノードを内蔵した名札１を身に付けた入室者１０が無線アクセスポイント装置２０の受信エリア２０ａ内に入ってもＯＫであること、△は入室者１０が無線アクセスポイント装置２０の受信エリア２０ａ内に入ると監視ルールの違反になる可能性が有ること、×は入室者１０が無線アクセスポイント装置２０の受信エリア２０ａ内に入ると監視ルールの違反になる可能性が高いことを表している。
【００５８】
図４は、分析サーバが情報収集・監視サーバから定期的に収集した識別情報を基に作成した統計情報の一例を示す図である。
分析サーバが情報収集・監視サーバから定期的に収集した識別情報を基に作成した統計情報の具体例を図４に示す。
分析サーバ３０の管理・分析データベース３１には、図４に示すような、情報収集・監視サーバ１１から定期的に収集した識別情報を基に作成した統計情報が統計情報テーブルＴ２の形式で格納されている。
【００５９】
統計情報デーブルＴ２は、顧客先２の事務所への入室を許可された入室者（従業員）１０の氏名毎に受信エリアＡ−１，受信エリアＡ−２，受信エリアＢ−１，受信エリアＢ−２，受信エリアＢ−３，受信エリアＣの欄に無線アクセスポイント装置２０の受信エリア２０ａ内に入った回数をカウントした数字が記されている。
【００６０】
図４に示す統計情報では、センサノードを内蔵した名札１を身に付けた入室者１０が無線アクセスポイント装置２０の受信エリア２０ａ内に入った回数を表している。
【００６１】
図５は、分析サーバが統計情報を用いて新たに作成した改善後の監視ルールの一例を示す図である。
分析サーバが統計情報を用いて新たに作成した改善後の監視ルールの具体例を図５に示す。
【００６２】
分析サーバ３０の管理・分析データベース３１には、図５に示すような、分析サーバ２が図４に示す統計情報を用いて新たに作成した改善後の監視ルールが監視ルールテーブルＴ１´の形式で格納されている。
【００６３】
改善後の監視ルールテーブルＴ１´には、顧客先２の事務所への入室を許可された入室者（従業員）１０の氏名毎に受信エリアＡ−１，受信エリアＡ−２，受信エリアＢ−１，受信エリアＢ−２，受信エリアＢ−３，受信エリアＣの欄に図３に示す監視ルールを見直した○，△，×が付されている。
【００６４】
図５に示す改善後の監視ルールでは、図４に示す統計情報を用いて顧客先２の事務所の室内の業務で行くはずのないところを良く通っているセンサノードを内蔵した名札１を身に付けた入室者１０を分析し、図３に示す監視ルールの定期的な見直しを行い、監視ルールと業務との整合性をあげるように改善した新たな監視ルールを作成したことを表している。
【００６５】
図６は、本発明の実施例に係る移動軌跡管理・分析サービスシステムにおける処理の流れを説明するフローチャート図である。
ステップＳ１００でスタートした処理は、まず、センサノードを内蔵した名札１を身に付けた入室者１０が顧客先２の事務所の室内にセル状に配置した無線アクセスポイント装置２０の受信エリア２０ａ内に入ると、無線アクセスポイント装置２０が受信エリア２０ａ内に入った名札１のセンサノードから一定時間間隔で発信される入室者１０個人を識別するＩＤ番号と加速度センサの加速度情報を受信し、次いで、無線アクセスポイント装置２０が受信したＩＤ番号と加速度情報を情報収集・監視サーバ１１に送り、次いで、情報収集・監視サーバ１１が無線アクセスポイント装置２０から送られた名札１のセンサノードのＩＤ番号と加速度情報を受け取り収集し、名札１を身に付けた入室者１０が無線アクセスポイント装置２０の受信エリア２０ａ内に入った回数をカウントし（ステップＳ１０１）、その後、情報収集・監視サーバ１１が収集したＩＤ番号と加速度情報をセンサデータベース２２に蓄積する。
【００６６】
次いで、情報収集・監視サーバ２１が監視ルールを用いて禁止，警告のチェックを行うと共に、加速度無し情報の有無のチェックとして名札１の揺れを感知する加速度センサの値が無しかのチェックを行う（ステップＳ１０２）。
【００６７】
次いで、分析サーバ３０が名札１のセンサノードのＩＤ番号を情報収集・監視サーバ２１から定期的に収集し（ステップＳ１０３）、次いで、分析サーバ３０が定期的に収集した名札１のセンサノードのＩＤ番号を基に統計情報を作成し、次いで、分析サーバ３０が作成した統計情報を管理・分析データベース３１に格納する。
【００６８】
その後、統計情報（カウント）から監視ルールの見直しを行い、新たな監視ルールの設定を行う（ステップＳ１０４）。
【００６９】
ステップＳ１０２において、監視ルールの違反が発生した場合、若しくは、加速度無し情報が有る場合、顧客先２の情報収集・監視サーバ２１が監視ルールの違反が発生した旨の警告通報または入室者１０が名札１を外している旨の警告通報をサービスセンタ３の分析サーバ３０に送信し（ステップＳ１０５）、その後、サービスセンタ３の監視員３６が顧客先２の警備員２５や管理者へ監視ルール違反や入室者１０が名札１を外すのを抑止するための連絡を行う（ステップＳ１０６）。
【図面の簡単な説明】
【００７０】
【図１】本発明の実施例に係る移動軌跡管理・分析サービスシステムを示すシステム構成図。
【図２】複数の無線アクセスポイント装置の顧客先の室内への配置状態を示す平面図。
【図３】情報収集・監視サーバに記録した監視ルールの一例を示す図。
【図４】分析サーバが情報収集・監視サーバから定期的に収集した識別情報を基に作成した統計情報の一例を示す図。
【図５】分析サーバが統計情報を用いて新たに作成した改善後の監視ルールの一例を示す図。
【図６】本発明の実施例に係る移動軌跡管理・分析サービスシステムにおける処理の流れを説明するフローチャート図。
【符号の説明】
【００７１】
１  名札
２  顧客先
３  サービスセンタ
４  ネットワーク
１０  入室者
２０  無線アクセスポイント装置
２０ａ  受信エリア
２１  情報収集・監視サーバ
２２  センサデータベース
２３  ルータ
２４  ＬＡＮ
２５  警備員
３０  分析サーバ
３１  管理・分析データベース
３２  ディスプレイ（表示装置）
３３  監視パソコン
３４  ルータ
３５  ＬＡＮ
３６  監視員
Ｓ  移動軌跡管理・分析サービスシステム
Ｔ１  監視ルールテーブル
Ｔ１´  改善した監視ルールテーブル
Ｔ２  統計情報テーブル
【図１】
2007172464.tif 000003
【図２】
2007172464.tif 000004
【図３】
2007172464.tif 000005
【図４】
2007172464.tif 000006
【図５】
2007172464.tif 000007
【図６】
2007172464.tif 000008